【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
ビデオ情報の１つまたは複数のレイヤを記憶するように構成されたメモリと、各レイヤが少なくとも１つのピクチャを備える、
前記メモリに動作可能に結合され、
ビデオパラメータセット（ＶＰＳ）を参照するピクチャのすべての直接参照レイヤピクチャが前記ピクチャのレイヤ間参照ピクチャセット（ＲＰＳ）に追加されるべきであるかどうかを示す前記ＶＰＳ内のフラグをシグナリングすることと、ここにおいて、前記フラグは、第１の値または第２の値のうちの１つを有し、前記第１の値は、前記ピクチャのすべての直接参照レイヤピクチャが前記ピクチャの前記レイヤ間ＲＰＳに追加されるべきであることを示し、前記第２の値は、前記ピクチャのすべての直接参照レイヤピクチャが前記ピクチャの前記レイヤ間ＲＰＳに追加される必要がないことを示す、
前記ピクチャのすべての直接参照レイヤピクチャが前記ピクチャの前記レイヤ間ＲＰＳに追加されるべきであるという表示に基づいて、前記ピクチャに関連付けられた任意のビデオスライス内で、レイヤ間予測が前記ピクチャを復号するために使用されうるかどうかを示す別のフラグをシグナリングすることを控えることと、ここにおいて、前記ピクチャは、１つまたは複数のビデオスライスに区分され、前記別のフラグは、前記ピクチャの前記１つまたは複数のビデオスライスのうちのいずれか１つに対してシグナリングされない、
を行うように構成されたプロセッサと
を備える、ビデオ情報を符号化するための装置。
【請求項２】
前記プロセッサは、前記ピクチャに関連付けられた任意のビデオスライスのスライスヘッダ内に前記別のフラグをシグナリングすることを控えるようにさらに構成される、請求項１に記載の装置。
【請求項３】
前記直接参照レイヤピクチャは、各時間サブレイヤ内のレイヤごとに前記ＶＰＳ内で指定されるレイヤ内のピクチャを備える、請求項１に記載の装置。
【請求項４】
前記装置は、前記メモリと前記プロセッサとを備える、デジタルテレビジョン、デジタル直接ブロードキャストシステム、ワイヤレスブロードキャストシステム、携帯情報端末（ＰＤＡ）、ラップトップコンピュータもしくはデスクトップコンピュータ、デジタルカメラ、デジタル記録デバイス、デジタルメディアプレイヤ、ビデオゲーミングデバイス、ビデオゲーム機、セルラー電話機もしくは衛星無線電話機、およびビデオ会議デバイスのうちの少なくとも１つを備える、請求項１に記載の装置。
【請求項５】
ビデオ情報の１つまたは複数のレイヤを記憶するように構成されたメモリと、各レイヤが少なくとも１つのピクチャを備える、
前記メモリに動作可能に結合され、
ビデオパラメータセット（ＶＰＳ）を参照するピクチャのすべての直接参照レイヤピクチャが前記ピクチャのレイヤ間参照ピクチャセット（ＲＰＳ）に追加されるべきであるかどうかを示す前記ＶＰＳ内のフラグを受信することと、ここにおいて、前記フラグは、第１の値または第２の値のうちの１つを有し、前記第１の値は、前記ピクチャのすべての直接参照レイヤピクチャが前記ピクチャの前記レイヤ間ＲＰＳに追加されるべきであることを示し、前記第２の値は、前記ピクチャのすべての直接参照レイヤピクチャが前記ピクチャの前記レイヤ間ＲＰＳに追加される必要がないことを示す、
前記ピクチャのすべての直接参照レイヤピクチャが前記ピクチャの前記レイヤ間ＲＰＳに追加されるべきであるという表示に基づいて、前記ピクチャに関連付けられた任意のビデオスライス内で、レイヤ間予測が前記ピクチャを復号するために使用されうるかどうかを示す別のフラグを処理することを控えることと、ここにおいて、前記ピクチャは、１つまたは複数のビデオスライスに区分され、前記別のフラグは、前記ピクチャの前記１つまたは複数のビデオスライスのうちのいずれか１つに対して処理されない、
を行うように構成されたプロセッサと
を備える、ビデオ情報を復号するための装置。
【請求項６】
前記プロセッサは、前記ピクチャに関連付けられた任意のビデオスライスのスライスヘッダ内に前記別のフラグを受信することを控えるようにさらに構成される、請求項５に記載の装置。
【請求項７】
前記直接参照レイヤピクチャは、各時間サブレイヤ内のレイヤごとに前記ＶＰＳ内で指定されるレイヤ内のピクチャを備える、請求項５に記載の装置。
【請求項８】
前記装置は、前記メモリと前記プロセッサとを備える、デジタルテレビジョン、デジタル直接ブロードキャストシステム、ワイヤレスブロードキャストシステム、携帯情報端末（ＰＤＡ）、ラップトップコンピュータもしくはデスクトップコンピュータ、デジタルカメラ、デジタル記録デバイス、デジタルメディアプレイヤ、ビデオゲーミングデバイス、ビデオゲーム機、セルラー電話機もしくは衛星無線電話機、またはビデオ会議デバイスのうちの少なくとも１つを備える、請求項５に記載の装置。
【請求項９】
ビデオエンコーダが、ビデオパラメータセット（ＶＰＳ）を参照するピクチャのすべての直接参照レイヤピクチャが前記ピクチャのレイヤ間参照ピクチャセット（ＲＰＳ）に追加されるべきであるかどうかを示す前記ＶＰＳ内のフラグをシグナリングすることと、ここにおいて、前記フラグは、第１の値または第２の値のうちの１つを有し、前記第１の値は、前記ピクチャのすべての直接参照レイヤピクチャが前記ピクチャの前記レイヤ間ＲＰＳに追加されるべきであることを示し、前記第２の値は、前記ピクチャのすべての直接参照レイヤピクチャが前記ピクチャの前記レイヤ間ＲＰＳに追加される必要がないことを示す、
前記ピクチャのすべての直接参照レイヤピクチャが前記ピクチャの前記レイヤ間ＲＰＳに追加されるべきであるという表示に基づいて、前記ピクチャに関連付けられた任意のビデオスライス内で、レイヤ間予測が前記ピクチャを復号するために使用されうるかどうかを示す別のフラグをシグナリングすることを控えることと、ここにおいて、前記ピクチャは、１つまたは複数のビデオスライスに区分され、前記別のフラグは、前記ピクチャの前記１つまたは複数のビデオスライスのうちのいずれか１つに対してシグナリングされない、
を備える、ビデオ情報を符号化する方法。
【請求項１０】
前記ピクチャに関連付けられた任意のビデオスライスのスライスヘッダ内に前記別のフラグを含めることを控えることをさらに備える、請求項９に記載の方法。
【請求項１１】
前記直接参照レイヤピクチャは、各時間サブレイヤ内のレイヤごとに前記ＶＰＳ内で指定されるレイヤ内のピクチャを備える、請求項９に記載の方法。
【請求項１２】
ビデオデコーダが、ビデオパラメータセット（ＶＰＳ）を参照するピクチャのすべての直接参照レイヤピクチャが前記ピクチャのレイヤ間参照ピクチャセット（ＲＰＳ）に追加されるべきであるかどうかを示す前記ＶＰＳ内のフラグを受信することと、ここにおいて、前記フラグは、第１の値または第２の値のうちの１つを有し、前記第１の値は、前記ピクチャのすべての直接参照レイヤピクチャが前記ピクチャの前記レイヤ間ＲＰＳに追加されるべきであることを示し、前記第２の値は、前記ピクチャのすべての直接参照レイヤピクチャが前記ピクチャの前記レイヤ間ＲＰＳに追加される必要がないことを示す、
前記ピクチャのすべての直接参照レイヤピクチャが前記ピクチャの前記レイヤ間ＲＰＳに追加されるべきであるという表示に基づいて、前記ピクチャに関連付けられた任意のビデオスライス内で、レイヤ間予測が前記ピクチャを復号するために使用されうるかどうかを示す別のフラグを処理することを控えることと、ここにおいて、前記ピクチャは、１つまたは複数のビデオスライスに区分され、前記別のフラグは、前記ピクチャの前記１つまたは複数のビデオスライスのうちのいずれか１つに対して処理されない、
を備える、ビデオ情報を復号する方法。
【請求項１３】
前記ピクチャに関連付けられた任意のビデオスライスのスライスヘッダ内に前記別のフラグを受信することを控えることをさらに備える、請求項１２に記載の方法。
【請求項１４】
前記直接参照レイヤピクチャは、各時間サブレイヤ内のレイヤごとに前記ＶＰＳ内で指定されるレイヤ内のピクチャを備える、請求項１２に記載の方法。
【請求項１５】
ビデオパラメータセット（ＶＰＳ）を参照するピクチャのすべての直接参照レイヤピクチャが前記ピクチャのレイヤ間参照ピクチャセット（ＲＰＳ）に追加されるべきであるかどうかを示す前記ＶＰＳ内のフラグを受信するための手段と、ここにおいて、前記フラグは、第１の値または第２の値のうちの１つを有し、前記第１の値は、前記ピクチャのすべての直接参照レイヤピクチャが前記ピクチャの前記レイヤ間ＲＰＳに追加されるべきであることを示し、前記第２の値は、前記ピクチャのすべての直接参照レイヤピクチャが前記ピクチャの前記レイヤ間ＲＰＳに追加される必要がないことを示す、
前記ピクチャのすべての直接参照レイヤピクチャが前記ピクチャの前記レイヤ間ＲＰＳに追加されるべきであるという表示に基づいて、前記ピクチャに関連付けられた任意のビデオスライス内で、レイヤ間予測が前記ピクチャを復号するために使用されうるかどうかを示す別のフラグを処理することを控えるための手段と、ここにおいて、前記ピクチャは、１つまたは複数のビデオスライスに区分され、前記別のフラグは、前記ピクチャの前記１つまたは複数のビデオスライスのうちのいずれか１つに対して処理されない、
を備える、ビデオ復号装置。
【請求項１６】
実行された時に、装置に、
ビデオパラメータセット（ＶＰＳ）を参照するピクチャのすべての直接参照レイヤピクチャが前記ピクチャのレイヤ間参照ピクチャセット（ＲＰＳ）に追加されるべきであるかどうかを示す前記ＶＰＳ内のフラグを受信することと、ここにおいて、前記フラグは、第１の値または第２の値のうちの１つを有し、前記第１の値は、前記ピクチャのすべての直接参照レイヤピクチャが前記ピクチャの前記レイヤ間ＲＰＳに追加されるべきであることを示し、前記第２の値は、前記ピクチャのすべての直接参照レイヤピクチャが前記ピクチャの前記レイヤ間ＲＰＳに追加される必要がないことを示す、
前記ピクチャのすべての直接参照レイヤピクチャが前記ピクチャの前記レイヤ間ＲＰＳに追加されるべきであるという表示に基づいて、前記ピクチャに関連付けられた任意のビデオスライス内で、レイヤ間予測が前記ピクチャを復号するために使用されうるかどうかを示す別のフラグを処理することを控えることと、ここにおいて、前記ピクチャは、１つまたは複数のビデオスライスに区分され、前記別のフラグは、前記ピクチャの前記１つまたは複数のビデオスライスのうちのいずれか１つに対して処理されない、
を実行させるコードをその上に記憶された非一時的コンピュータ可読媒体。